(57)【要約】      （修正有）【課題】印刷物に対する後加工を行いつつ、機密性の高い印刷物のセキュリティを確保する。【解決手段】シートを取り出すために認証情報を必要とする第１の排紙部と、認証情報を必要としない第２の排紙部のいずれかにシートを出力可能な印刷装置であって、印刷ジョブを受け付ける受付手段と、受付手段によって受け付けた印刷ジョブが、後処理を実行し、第２の排紙部に出力するよう指定されている印刷ジョブである場合に、当該印刷ジョブを実行することによって画像が印刷されたシートに、後処理を実行し、当該シートを前記第２の排紙部に出力するよう制御し、受付手段によって受け付けた印刷ジョブが、後処理を実行し、第１の排紙部に出力するよう指定されている印刷ジョブである場合に、当該印刷ジョブを認証情報の入力後に印刷が開始される認証後印刷ジョブとして記憶手段に記憶するよう制御することにした。【選択図】図９
2013154476.tif 000002
【特許請求の範囲】
【請求項１】
シートを取り出すために認証情報を必要とする第１の排紙部と、後処理されたシートが排紙され、当該シートを取り出すために認証情報を必要としない第２の排紙部のいずれかにシートを出力可能な印刷装置であって、
印刷ジョブを受け付ける受付手段と、
前記受付手段によって受け付けた印刷ジョブが、前記後処理を実行するよう指定され、前記第２の排紙部に出力するよう指定されている印刷ジョブである場合に、当該印刷ジョブを実行することによって画像が印刷されたシートに、前記後処理を実行し、当該シートを前記第２の排紙部に出力するよう制御し、
前記受付手段によって受け付けた印刷ジョブが、前記後処理を実行するよう指定され、前記第１の排紙部に出力するよう指定されている印刷ジョブである場合に、当該印刷ジョブを認証情報による認証後に印刷が開始される認証後印刷ジョブとして記憶手段に記憶するよう制御する制御手段と、
を備えることを特徴とする印刷装置。
【請求項２】
前記制御手段は、前記認証後印刷ジョブとして前記印刷ジョブが前記記憶手段に記憶された後、前記認証情報をユーザから受け付けたことに従って、当該印刷ジョブを実行することを特徴とする請求項１に記載の印刷装置。
【請求項３】
前記記憶手段に前記認証後印刷ジョブとして前記印刷ジョブが記憶されたことを通知する通知手段を備えることを特徴とする請求項１または２に記載の印刷装置。
【請求項４】
前記印刷ジョブは、複数のサブセットで構成され、当該複数のサブセットに含まれるサブセットごとに、出力先の指定と後処理の指定が可能な印刷ジョブであり、
前記制御手段は、前記複数のサブセットに含まれるサブセットが、前記後処理を実行するよう指定され、前記第２の排紙部に出力するよう指定されているサブセットである場合に、当該印刷ジョブを実行することによって画像が印刷されたシートに、前記後処理を実行し、当該シートを前記第２の排紙部に出力するよう制御し、前記複数のサブセットに含まれるサブセットが、前記後処理を実行するよう指定され、前記第１の排紙部に出力するよう指定されているサブセットである場合に、当該サブセットを認証情報による認証後に印刷が開始されるサブセットとして記憶手段に記憶するよう制御することを特徴とする請求項１記載の印刷装置。
【請求項５】
シートの取り出しを制限可能な第１の排紙部と、後処理されたシートが排紙される第２の排紙部のいずれかにシートを出力可能な印刷装置であって、
印刷ジョブを受け付ける受付手段と、
前記受付手段によって受け付けた印刷ジョブが、前記後処理を実行するよう指定され、前記第１の排紙部に出力するよう指定されている印刷ジョブである場合に、当該印刷ジョブを実行することによって画像が印刷されたシートに、前記後処理を実行し、当該シートを前記第２の排紙部に出力するよう制御し、
前記受付手段によって受け付けた印刷ジョブが、前記後処理を実行するよう指定され、前記第１の排紙部に出力するよう指定されている印刷ジョブである場合に、当該印刷ジョブを認証情報による認証後に印刷が開始される認証後印刷ジョブとして記憶手段に記憶するよう制御する制御手段と、
を備えることを特徴とする印刷装置。
【請求項６】
シートを取り出すために認証情報を必要とする第１の排紙部と、後処理されたシートが排紙され、当該シートを取り出すために認証情報を必要としない第２の排紙部のいずれかにシートを出力可能な印刷装置の制御方法であって、
印刷ジョブを受け付ける受付工程と、
前記受付工程で受け付けた印刷ジョブが、前記後処理を実行するよう指定され、前記第２の排紙部に出力するよう指定されている印刷ジョブである場合に、当該印刷ジョブを実行することによって画像が印刷されたシートに、前記後処理を実行し、当該シートを前記第２の排紙部に出力するよう制御し、
前記受付工程で受け付けた印刷ジョブが、前記後処理を実行するよう指定され、前記第１の排紙部に出力するよう指定されている印刷ジョブである場合に、当該印刷ジョブを認証情報による認証後に印刷が開始される認証後印刷ジョブとして記憶手段に記憶するよう制御する制御工程と、
を備えることを特徴とする印刷装置の制御方法。
【請求項７】
シートの取り出しを制限可能な第１の排紙部と、後処理されたシートが排紙される第２の排紙部のいずれかにシートを出力可能な印刷装置の制御方法であって、
印刷ジョブを受け付ける受付工程と、
前記受付工程で受け付けた印刷ジョブが、前記後処理を実行するよう指定され、前記第１の排紙部に出力するよう指定されている印刷ジョブである場合に、当該印刷ジョブを実行することによって画像が印刷されたシートに、前記後処理を実行し、当該シートを前記第２の排紙部に出力するよう制御し、
前記受付工程で受け付けた印刷ジョブが、前記後処理を実行するよう指定され、前記第１の排紙部に出力するよう指定されている印刷ジョブである場合に、当該印刷ジョブを認証情報による認証後に印刷が開始される認証後印刷ジョブとして記憶手段に記憶するよう制御する制御工程と、
を備えることを特徴とする印刷装置の制御方法。
【請求項８】
請求項６または７に記載の制御方法をコンピュータに実行させることを特徴とするプログラム。
【発明の詳細な説明】
【技術分野】
【０００１】
本発明は、印刷装置、その制御方法及びプログラムに関する。特に、機密性が確保された出力先と第三者が利用可能な出力先とが混在する環境において、情報の漏洩を防止する印刷装置、その制御方法及びプログラムに関する。
【背景技術】
【０００２】
オフィスやプリント・オン・デマンド（ＰＯＤ）環境下において、印刷装置を使用する場合、情報の漏洩を防止するための配慮が必要である。そのため、印刷装置には、出力物を第三者に見られたり持ち去られたりすることを防止する機能が搭載されている。
【０００３】
情報漏洩を防止する機能としては、一般に、印刷データを印刷装置に送った後に、ユーザから受け付けた認証情報に基づいてユーザを認証した後に印刷を開始する認証後印刷（セキュア印刷、セキュアドプリント）機能が知られている。
【０００４】
また、印刷物を鍵付の出力先に出力することで機密性を確保している印刷装置もある。この場合、印刷装置は、予め印刷データを鍵付の出力先に出力しておく。その後、印刷装置が、ユーザから認証情報を受け付けてユーザを認証すると、当該出力先の電子錠を解錠する。
【０００５】
このように、機密性の高いドキュメント等を印刷する場合、印刷装置は、ユーザが印刷装置の近くにいることを確認してから、印刷の開始や出力先の解錠を行う。それによって、印刷物が放置されたり持ち去られたりすることを防止してセキュリティを高めている。
【０００６】
下記特許文献１では、印刷ジョブの印刷枚数に応じて、認証後印刷と、鍵付の出力先への出力とを切り替える技術が公開されている。この技術によると、印刷枚数が所定枚数以上の印刷ジョブは鍵付の出力先に印刷し、所定枚数以下の印刷ジョブは認証後印刷とすることにより、ユーザの待ち時間を短縮しつつ、セキュリティを高めている。
また、近年は、印刷後の出力物に対し、ステープル、パンチ、折り、製本などの後加工を行う機能を持った印刷装置が存在する。
【先行技術文献】
【特許文献】
【０００７】
【特許文献１】特開２０１０−２２８１１３号公報
【発明の概要】
【発明が解決しようとする課題】
【０００８】
しかしながら、鍵付の出力先を有する印刷装置では多くの場合、施錠された出力先と、非施錠の出力先とが混在している。一般に、複数のユーザが同一の施錠された出力先に出力を行った場合、機密性を確保するためには、出力物が除去されるまでは別のユーザの印刷ジョブを出力することができない。印刷装置の出力先は一定数しかないため、複数のユーザが想定される環境においては、ユーザの待ち時間を短縮するため、機密性の高くない印刷ジョブは非施錠の出力先に出力するよう構成されている。
【０００９】
一方で、ステープル、パンチ、折り、製本などの後加工を行う機能を持つ印刷装置においては、出力物に施す後加工の種類により、出力先が制限されることが多い。これは、インラインフィニッシャの構成と、用紙の搬送経路による制限である。一例として、用紙の搬送経路で下流に位置するフィニッシャで出力物にステープルを施した後で、より上流に位置するスタッカに出力することはできないなどといった制限がある。
【００１０】
この制限に対して、印刷ジョブを生成するアプリケーションやプリンタドライバでは、ステープル、パンチ、折り、製本などの後加工の指定による制限に反する出力先が極力指定されないよう、印刷設定画面が制御されている。
しかしながら、複雑な排他制御ができないアプリケーションや、印刷装置の製造元とは別の製造元が製造したプリンタドライバからデータを受け付ける場合、後加工の指定による制限に反する出力先の指定がされてしまう場合がある。
このように、印刷ジョブで後加工の指定の制限に反する出力先の指定がされた場合、一般には、後加工の指定が優先され、ユーザの指定とは異なる出力先に出力される。これは、出力先の指定より、印刷物の出力体裁に直接影響する後加工の指定の方が重要であるという思想によるものである。
【００１１】
しかしながら、鍵付の出力先を有する印刷装置においては、上述のように、機密性が確保された出力先と第三者が利用可能な出力先とが混在しているため、ユーザの指定と異なる出力先に即座に出力するとセキュリティが低下する可能性がある。
本発明は、上記の課題を解決するためになされたものである。本発明の目的は、印刷物の取り出しに認証が必要な出力先と印刷物の取り出しに認証が必要ではない出力先とが混在している環境において、印刷物に対する後加工を行いつつ、機密性の高い印刷物のセキュリティを確保できる仕組みを提供することである。
【課題を解決するための手段】
【００１２】
上記目的を達成する本発明の印刷装置は以下に示す構成を備える。
シートを取り出すために認証情報を必要とする第１の排紙部と、後処理されたシートが排紙され、当該シートを取り出すために認証情報を必要としない第２の排紙部のいずれかにシートを出力可能な印刷装置であって、印刷ジョブを受け付ける受付手段と、受付手段によって受け付けた印刷ジョブが、後処理を実行するよう指定され、第２の排紙部に出力するよう指定されている印刷ジョブである場合に、当該印刷ジョブを実行することによって画像が印刷されたシートに、後処理を実行し、当該シートを前記第２の排紙部に出力するよう制御し、受付手段によって受け付けた印刷ジョブが、後処理を実行するよう指定され、第１の排紙部に出力するよう指定されている印刷ジョブである場合に、当該印刷ジョブを認証情報の入力後に印刷が開始される認証後印刷ジョブとして記憶手段に記憶するよう制御する制御手段と、を備えることを特徴とする。
【発明の効果】
【００１３】
本発明によれば、印刷物の取り出しに認証が必要な出力先と印刷物の取り出しに認証が必要ではない出力先とが混在している環境において、印刷物に対する後加工を行いつつ、機密性の高い印刷物のセキュリティを確保できる。
【図面の簡単な説明】
【００１４】
【図１】本発明の実施形態に係る印刷システムの構成の一例を示す図である。
【図２】図１に示した印刷装置の一例を示す図である。
【図３】図２に示した印刷装置のコントローラの構成を示すブロック図である。
【図４】図３に示した操作部の構成を説明する平面図である。
【図５】図３に示したＨＤＤで管理される機器能力情報テーブルを示す図である。
【図６】印刷装置が処理する印刷ジョブを階層的に示した図である。
【図７】印刷装置が処理対象とする印刷ジョブの印刷設定を示す図である。
【図８】図７に示した印刷ジョブの印刷設定を示す図である。
【図９】印刷装置の制御方法を説明するフローチャートである。
【図１０】図３に示した操作部に表示されるＵＩ画面の一例を示す図である。
【図１１】図３に示したプリンタエンジンから出力される通知レポートを示す図である。
【図１２】印刷装置の制御方法を説明するフローチャートである。
【図１３】図３に示した操作部に表示されるＵＩ画面の一例を示す図である。
【図１４】図３に示した操作部に表示されるＵＩ画面の一例を示す図である。
【図１５】印刷装置が処理対象とする印刷ジョブの出力結果の一例を示す図である。
【図１６】印刷装置が管理する機器能力情報テーブルの一例を示す図である。
【図１７】印刷システムが処理対象とする印刷ジョブの印刷設定を示す図である。
【図１８】図３に示した操作部に表示されるＵＩ画面の一例を示す図である。
【図１９】図３に示したプリンタエンジンから出力される通知レポートを示す図である。
【図２０】印刷装置が処理対象とする印刷ジョブの出力結果の一例を示す図である。
【発明を実施するための形態】
【００１５】
次に本発明を実施するための最良の形態について図面を参照して説明する。
＜システム構成の説明＞
〔第１実施形態〕
【００１６】
図１は、本発明の実施形態に係る印刷システムの構成の一例を示す図である。本例は、複数の印刷装置がネットワークを介して相互に通信可能に構成され、かつ、ネットワークに複数のデータ処理装置が接続されている例である。ここで、データ処理装置には、ファイルサーバ、クライアントＰＣ、プリントサーバが含まれ、いずれも印刷装置と通信可能に構成されている。また、印刷装置には、シートを取り出すために認証情報に基づくユーザの認証を必要とする第１の排紙部と、後処理されたシートが排紙され、シートを取り出すために認証情報に基づくユーザの認証を必要としない第２の排紙部とを備えている。本実施形態では、第１の排紙部の例として、鍵付きの排紙部を用いて説明する。
【００１７】
図１に示す印刷システムは、印刷装置１０、プリントサーバ２０、ファイルサーバ３０、及びクライアントＰＣ４０を有する。
なお、印刷装置１０、プリントサーバ２０、ファイルサーバ３０、及びクライアントＰＣ４０は、ＬＡＮ，ＷＡＮなどのネットワーク５０を介して通信可能に接続されている。ここで、印刷装置１０は、スキャン、プリント、コピーなどの様々な機能を有するＭＦＰとして構成される例である。
【００１８】
プリントサーバ２０は、入力された印刷ジョブやネットワーク５０を介して接続されている印刷装置１０を管理する。プリントサーバ２０は、接続されている印刷装置１０を管理する。また、プリントサーバ２０は、印刷装置１０で実行される全ての印刷ジョブの状況を監視するとともに、印刷ジョブの一時停止、設定変更、印刷再開、あるいはジョブの複製、移動、削除などの制御を行う。
ファイルサーバ３０は、バリアブル印刷に使用するバリアブルデータに係るデータベース、例えば宛先、住所、氏名などの顧客データからなる顧客データベースを保管する。
【００１９】
クライアントＰＣ４０は、アプリケーションファイルの編集や印刷指示を行う機能を有する。また、クライアントＰＣ４０は、プリントサーバ２０内で管理されている印刷装置１０や印刷ジョブの監視や制御を補佐する機能を有する。オペレータはクライアントＰＣ４０を利用してジョブのステータスなどを確認することができる。
【００２０】
図２は、図１に示した印刷装置１０の一例を示す図である。
図２において、印刷装置１０は、印刷装置（印刷装置本体）１００と、印刷装置１００に着脱可能なインラインフィニッシャ１１０とから構成されている。
印刷装置１００は、スキャナ１０１、レーザ露光部１０２、作像部１０３、感光ドラム１０４、定着部１０５、給紙／搬送部１０６から構成される。
スキャナ１０１は、原稿台に置かれた原稿に対して、照明を当てて原稿画像を光学的に読み取り、その像を電気信号に変換して画像データを作成する工程である。
レーザ露光部１０２は、前記画像データに応じて変調されたレーザ光などの光線を等角速度で回転する回転多面鏡（ポリゴンミラー）に入射させ、反射走査光として感光ドラム１０４に照射する。
【００２１】
作像部１０３は、感光ドラムを回転駆動し、帯電器によって帯電させ、前記レーザ露光部によって感光ドラム１０４上に形成された潜像をトナーによって現像化し、そのトナー像をシート（用紙）に転写する。その際に転写されずに感光ドラム１０４上に残った微小トナーを回収するといった一連の電子写真プロセスを実行して作像する。
その際、シートが転写ベルトの所定位置に巻きつき、４回転する間に、マゼンタ（Ｍ）、シアン（Ｃ）、イエロー（Ｙ）、ブラック（Ｋ）のトナーを持つそれぞれの現像ユニット（現像ステーション）が入れ替わりで順次前述の電子写真プロセスを繰り返し実行する。４回転の後、４色のフルカラートナー像を転写されたシートは、転写ドラムを離れ、定着部１０５へ搬送される。
【００２２】
定着部１０５は、ローラやベルトの組み合わせによって構成され、ハロゲンヒータなどの熱源を内蔵し、作像部１０３によってトナー像が転写されたシート上のトナーを、熱と圧力によって溶解、定着させる。
【００２３】
給紙／搬送部１０６は、シートカセットやペーパーデッキに代表されるシート収納庫（給紙段）を一つ以上持っており、前記プリンタ制御部の指示に応じてシート収納庫に収納された複数のシートの中から一枚分離し、作像部１０３、定着部１０５へ搬送する。
シートは作像部の転写ドラムに巻きつけられ、４回転した後に定着部へ搬送される。４回転する間に前述のＹＭＣＫ各色のトナー像がシートに転写される。また、シートの両面に画像形成する場合は、定着部を通過したシートを再度作像部１０３へ搬送する搬送経路を通るように制御する。
【００２４】
インラインフィニッシャ１１０は、印刷装置１００に着脱可能な装置であり、印刷装置１００により印刷処理されたシートに対して様々な後加工を行うことができる。本実施例では一構成例として、パンチャ１１１、スタッカ１１２Ａ、１１２Ｂ、折り機１１３、フィニッシャ１１４が印刷装置１００に接続されている。
【００２５】
パンチャ１１１は、印刷装置１００により印刷処理されたシートに対し、多穴パンチを行うことができる。多穴パンチとは、パンチャ１１１に装着されたダイによりシートに穴をあける機能である。多穴パンチの穴数は、穴を開ける装置であるダイを交換することにより任意に変更することができる。
【００２６】
スタッカ１１２Ａ、１１２Ｂは、印刷装置１００により印刷処理されたシートを大量に保持することができる。スタッカ１１２Ａ、１１２Ｂには電子錠ＫＥＹ１，ＫＥＹ２が備えられている。印刷装置１００は、印刷ジョブを指示したユーザから認証情報を受け付け、受け付けた認証情報によってユーザを認証すると、電子錠ＫＥＹ１，ＫＥＹ２が解錠される。認証情報は、後述する操作部２１０からユーザが認証情報を入力する方法でもよいし、印刷装置１０が備える不図示のカードリーダー部によって、ユーザが所有するカードからユーザの認証情報を読み取るようにしてもよい。また、その他、ユーザの指紋情報を印刷装置１０の不図示の指紋読取部を使って読み取って、その指紋情報として用いてもよいし、ユーザの顔を印刷装置１０が備えるカメラによって撮影して、顔を認証情報として用いてもよい。また、これらの認証情報は、ユーザごとに印刷装置１０のＨＤＤ２０８に予め登録されており、ユーザが入力した認証情報と比較されて、ユーザの認証が行われるものとする。
【００２７】
折り機１１３は、印刷装置１００により印刷処理されたシートに対し、２つ折りとＺ折りを行うことができる。２つ折りとは、シートを１枚ずつ半分に折る折りのことである。Ｚ折りとは、シートを１枚ずつ半分に折り、さらに片側を逆向きに折る折りのことである。２つ折りを行ったシートは、折り機１１３の下部に備える出力先に出力される。Ｚ折りを行ったシートや折りの行われないシートは、フィニッシャ１１４に搬送される。
【００２８】
フィニッシャ１１４は、印刷装置１００により印刷処理されたシートに対し、ステープル、２穴パンチ、中綴じ製本を行うことができる。ここで、ステープルとは、複数枚のシートを針で綴じる機能である。２穴パンチとは、シートに２穴の穴をあける機能である。中綴じ製本とは、複数枚のシートの中央付近の２か所を針で綴じて、シートを本のように左右に開く形状に加工する機能である。
フィニッシャ１１４は、上トレイ１１４Ａ、下トレイ１１４Ｂ、サドルトレイ１１４Ｃの３つの出力先を備える。ステープル、２穴パンチを行ったシートや、中綴じ製本の行われないシートは、上トレイ１１４Ａ、下トレイ１１４Ｂに出力される。中綴じ製本を行ったシートは、サドルトレイ１１４Ｃに出力される。
なお、各出力先において実施可能な後加工については、図５で後述する。
【００２９】
図３は、図２に示した印刷装置１０のコントロールユニット（コントローラ）の一構成例を示すブロック図である。
図３において、コントロールユニット２００は、画像入力デバイスであるスキャナ２０１や画像出力デバイスであるプリンタエンジン２０２と接続し、画像データの読み取りやプリント出力のための制御を行う。また、コントロールユニット２００は、ネットワーク５０や公衆回線２０４と接続することで、画像情報やデバイス情報をネットワーク５０経由で入出力するための制御を行う。
【００３０】
ＣＰＵ２０５は、ＭＦＰ全体を制御するための中央処理装置である。ＲＡＭ２０６は、ＣＰＵ２０５が動作するためのシステムワークメモリであり、入力された画像データを一時記憶するための画像メモリでもある。さらに、２０７は、ブートＲＯＭ（ＲＯＭ）であり、システムのブートプログラムが格納されている。２０８はハードディスクドライブ（ＨＤＤ）であり、各種処理のためのシステムソフトウェア及び入力された画像データ等を格納する。操作部Ｉ／Ｆ２０９は、画像データ等を表示可能な表示画面を有する操作部２１０に対するインタフェース部であり、操作部２１０に対して操作画面データを出力する。
【００３１】
また、２０９は操作部Ｉ／Ｆ２０９で、操作部２１０から操作者が入力した情報をＣＰＵ２０５に伝える役割をする。２１１はネットワークインタフェースで、例えばＬＡＮカード等で実現され、ネットワーク５０に接続して外部装置との間で情報の入出力を行う。２１２はモデムで、公衆回線２０４に接続し、外部装置との間で情報の入出力を行う。以上のユニットがシステムバス２１３上に配置されている。
【００３２】
２１４はイメージバスＩ／Ｆで、システムバス２１３と画像データを高速で転送する画像バス２１５とを接続するためのインタフェースであり、データ構造を変換するバスブリッジである。なお、画像バス２１５上には、ラスタイメージプロセッサ２１６、デバイスＩ／Ｆ２１７、スキャナ画像処理部２１８、プリンタ画像処理部２１９、画像編集用画像処理部２２０、カラーマネージメントモジュール（ＣＭＭ）２３０が接続される。
【００３３】
２１６はラスタイメージプロセッサ（ＲＩＰ）であり、ページ記述言語（ＰＤＬ）をラスタイメージに展開する。なお、一般に、ＲＩＰ処理は、ページ記述言語（ＰＤＬ）を中間データ（ＤＬ）に変換するインタープリット処理と、ラスタイメージに変換するレンダリング処理との二通りの意味で使用される。本実施形態では簡単のため、ＲＩＰされたデータはラスタイメージに展開されるものとして説明するが、一旦中間データ（ＤＬ）に変換される形態も本発明の対象に含まれることは言うまでもない。デバイスＩ／Ｆ部２１７は、スキャナ２０１やプリンタエンジン２０２とコントロールユニット２００とを接続し、画像データの同期系／非同期系の変換を行う。
【００３４】
また、２１８はスキャナ画像処理部で、スキャナ２０１から入力した画像データに対して、補正、加工、編集等の各種処理を行う。２１９はプリンタ画像処理部で、プリント出力する画像データに対して、プリンタエンジンに応じた補正、解像度変換等の処理を行う。２２０は画像編集用画像処理部で、画像データの回転や、画像データの圧縮伸長処理等の各種画像処理を行う。２３０はＣＭＭで、画像データに対して、プロファイルやキャリブレーションデータに基づいた、色変換処理（色空間変換処理ともいう）を施す専用ハードウェアモジュールである。
【００３５】
ここで、プロファイルとは、機器に依存した色空間で表現したカラー画像データを機器に依存しない色空間（例えばＬａｂなど）に変換するための関数のような情報である。また、キャリブレーションデータとは、カラー複合機３におけるスキャナ２０１やプリンタエンジン２０２の色再現特性を修正するためのデータである。
【００３６】
図４は、図３に示した操作部２１０の構成を説明する平面図である。
本例に示す操作部２１０には、ハードキーによるユーザ操作を受付け可能なキー入力部４０２、ソフトキー（表示キー）によるユーザ操作を受付可能な表示ユニットの一例としてのタッチパネル部４０１を有する。
【００３７】
図４において、キー入力部４０２は、操作部電源スイッチ４１１を具備する。該操作部電源スイッチ４１１のユーザ操作に応答し、ＣＰＵ２０５は、スタンバイモードとスリープモードを選択的に切り替えるよう制御する。ただし、スタンバイモードは、通常動作状態であり、スリープモードは、ネットワーク印刷やファクシミリなどに備えて割り込み待ち状態でプログラムを停止して、消費電力を抑えている状態である。
ＣＰＵ２０５は、該操作部電源スイッチ４１１のユーザ操作を、システム全体の電源供給を行う主電源スイッチ（不図示）がＯＮ状態にて、受付可能に制御する。スタートキー４１３は、処理対象となるジョブのコピー動作や送信動作等、ユーザにより指示された種類のジョブ処理を印刷装置に開始させる指示をユーザから受付可能にする為のキーである。ストップキー４１２は、受け付けたジョブの処理を印刷装置に中断させる指示をユーザから受付可能にする為のキーである。
テンキー４１６は、各種設定の置数の設定をユーザにより実行可能にする為のキーである。クリアキー４１７は、テンキー４１６を介してユーザにより設定された置数等の各種パラメータを解除するためのキーである。
リセットキー４１４は、ユーザにより処理対象のジョブに対して設定された各種設定を全て無効にし、また、設定値をデフォルト状態に戻す指示をユーザから受け付ける為のキーである。ユーザモードキー４１５は、ユーザごとのシステム設定画面に移行するためのキーである。
【００３８】
図５は、図３に示したＨＤＤ２０８で管理される機器能力情報テーブルの一例を示す図である。本例に示す機器能力情報テーブルでは、出力先名称５０１と、機器能力情報５０２と、セキュリティ５０３とを対応づけて機器能力情報を管理する。
ここで、出力先名称５０１は、印刷装置１０に備えられた出力先の名称である。
【００３９】
機器能力情報５０２は、各出力先において実施可能な後加工を○もしくは×で示している。機器能力情報５０２は、後加工なし５１１、ステープル５１２、２穴パンチ５１３、多穴パンチ５１４、Ｚ折り５１５、２つ折り５１６、中綴じ製本５１７、からなる。
【００４０】
セキュリティ５０３は、各出力先のセキュリティの強度をＨｉｇｈもしくはＬｏｗで示す。本実施形態においては、スタッカ１およびスタッカ２には電子錠が備えられており、印刷ジョブを実行したユーザ以外の第三者は出力物を見たり取り出したりすることができないため、スタッカ１およびスタッカ２のセキュリティはＨｉｇｈである。一方、その他の出力先は同様の機構を備えていないため、セキュリティはＬｏｗである。
【００４１】
＜印刷装置１０が処理対象とする印刷ジョブの印刷設定の一例＞
図６は、図１に示した印刷装置１０が処理する印刷ジョブ２００１、サブセット２００３、ページ２００２の関係を階層的に示した図である。
図６において、印刷ジョブ２００１は、１以上のサブセット２００３を持つ。各サブセット２００３は、１以上のページ２００２を含む。ここで、各サブセット２００３に含まれるページ数は必ずしも同じページ数である必要はなく、サブセット２００３ごとに異なる場合もある。印刷装置１０は、サブセット単位で異なる後加工を施すことが可能である。
【００４２】
図７は、図１に示した印刷装置１０が処理対象とする印刷ジョブの印刷設定の一例を示す図である。
図７において、印刷ジョブはページ範囲６０１からなるサブセットのそれぞれに、指定出力先６０２と、指定後加工６０３を設定することが可能である。指定後加工６０３は、ステープル６１１、２穴パンチ６１２、多穴パンチ６１３、Ｚ折り６１４、２つ折り６１５、中綴じ製本６１６の指定からなる。
【００４３】
この印刷ジョブは、３８ページの印刷ジョブであり、１ページ目から５ページ目のサブセットは、スタッカ１に出力するよう設定されている。６ページ目から１０ページ目のサブセットは、スタッカ１に出力し、さらに、ステープルして出力するよう設定されている。１１ページ目から３５ページ目のサブセットは、スタッカ１に出力し、さらに、多穴パンチして出力するよう設定されている。３６ページ目から３８ページ目のサブセットは、フィニッシャ上トレイに出力し、さらに、２つ折りして出力するよう設定されている。
【００４４】
図８は、図７に示した印刷ジョブの印刷設定をＰｏｓｔＳｃｒｉｐｔ（ＰＳ）で表現したものの一例を示す図である。なお、ＰｏｓｔＳｃｒｉｐｔとは、Ａｄｏｂｅ  Ｓｙｓｔｅｍｓ  Ｉｎｃｏｒｐｏｒａｔｅｄの米国ならびにその他における商標または登録商標である。
印刷装置１０は、クライアントＰＣ４０から受信したＰｏｓｔＳｃｒｉｐｔを解析して印刷ジョブとし、図７に示した印刷設定を抽出し、その後の処理に用いる。
【００４５】
＜印刷装置１０の印刷ジョブ処理＞
図９は、本実施形態を示す印刷装置の制御方法を説明するフローチャートである。本例は、図１に示した印刷装置１０の印刷ジョブ処理例である。なお、各ステップは、ＣＰＵ２０５がＲＯＭ２０７、ＨＤＤ２０８から制御プログラムをＲＡＭ２０６にロードして実行することで実現される。以下、受信した印刷ジョブをページ単位に解析して、排紙先として第１の排紙部が指定され、かつ特定の後処理が指定されている場合の処理を説明する。
Ｓ１０１では、ＣＰＵ２０５が、ネットワーク５０経由で送られてくる図８で例示した印刷ジョブをネットワークＩ／Ｆ２１１経由で受信し、ＨＤＤ２０８に格納する。そして、Ｓ１０２では、ＣＰＵ２０５が、処理対象ページを先頭ページに設定し、Ｓ１０３では、ＣＰＵ２０５が、処理対象ページの解析・ＲＩＰを行う。
【００４６】
次に、Ｓ１０４では、ＣＰＵ２０５が、処理対象ページの印刷設定を図７に例示した形態で抽出する。そして、Ｓ１０５では、ＣＰＵ２０５が、処理対象ページの指定出力先６０２に、指定後加工６０３で出力可能か否かを判定する。この判定は、図５に例示した機器能力情報テーブルを用い、処理対象ページの指定出力先６０２が、処理対象ページの指定後加工６０３を全て実施可能（○）である場合は、指定後加工６０３で出力可能であると判定することにより行う。
【００４７】
ここで、指定後加工６０３で可能であるとＣＰＵ２０５が判定した場合（ＹＥＳ）、Ｓ１０６に進み、指定後加工６０３で出力可能でないとＣＰＵ２０５が判定した場合（ＮＯ）、Ｓ１０７に進む。
そして、Ｓ１０６では、ＣＰＵ２０５が、出力先を指定出力先６０２に設定した後、Ｓ１１０に進む。
【００４８】
一方、Ｓ１０７では、ＣＰＵ２０５が、代替出力先を選択し、出力先として設定する。ここで、代替出力先には、処理対象ページに設定された後加工を全て実施可能な出力先を選択する。また、該当する出力先が複数存在する場合には、そのうちの１つをＣＰＵ２０５が任意に選択する。さらに、該当する出力先が存在しない場合には、いずれかの出力先をＣＰＵ２０５が任意に選択し、以後の処理では後加工の設定を無視する。
【００４９】
次に、受信した印刷ジョブで指定された特定の後処理に伴い出力先を第２の排紙部に変更するとセキュリティが低下するかどうかを判断して、ジョブ処理を制御する例をステップに基づいて説明する。ここで、第２の排紙部を、図２に示したフィニッシャ１１４の上トレイ１１４Ａとする場合を例とする。また、第１の排紙部を、鍵付きのスタッカ１１２Ａ、１１２Ｂとする場合を例とする。
【００５０】
次に、Ｓ１０８では、ＣＰＵ２０５が、指定出力先６０２のセキュリティ５０３がＨｉｇｈか否かを判定する。ここで、指定出力先６０２のセキュリティ５０３がＨｉｇｈであるとＣＰＵ２０５が判定した場合（ＹＥＳ）、Ｓ１０９に進み、指定出力先６０２のセキュリティ５０３がＨｉｇｈでないとＣＰＵ２０５が判定した場合（ＮＯ）、Ｓ１１０に進む。
【００５１】
そして、Ｓ１０９では、ＣＰＵ２０５が、代替出力先のセキュリティ５０３がＨｉｇｈか否かを判定する。ここで、代替出力先のセキュリティ５０３がＨｉｇｈであるとＣＰＵ２０５が判定した場合（ＹＥＳ）、Ｓ１１０に進み、代替出力先のセキュリティ５０３がＨｉｇｈでないとＣＰＵ２０５が判定した場合（ＮＯ）、Ｓ１１１に進む。
そして、Ｓ１１０では、ＣＰＵ２０５が、プリンタエンジン２０２を用いて、処理対象ページを出力する。
【００５２】
一方、Ｓ１１１では、ＣＰＵ２０５が、処理対象ページをＨＤＤ２０８に格納し、認証後に印刷が開始される認証後印刷ジョブ（セキュア印刷ジョブ、セキュアプリントジョブ）として登録する。つまり、ＣＰＵ２０５は、受信した印刷ジョブの属性をセキュア印刷ジョブに変更し、受信した印刷ジョブに認証情報を割り当てて記憶手段（ＨＤＤ２０８）に登録する。ここで割り当てる認証情報には、その印刷ジョブを送信したユーザが、その印刷ジョブで指定された出力先から印刷物を取り出すために入力する必要がある認証情報と同一のものを用いればよい。具体的な手順として、ＣＰＵ２０５は、印刷ジョブを送信したユーザを、その印刷ジョブに付加されたユーザＩＤ等に基づいて特定する。そして、ＣＰＵ２０５は、特定したユーザＩＤに対応する認証情報を、ＨＤＤ２０８内に記憶された不図示のテーブルに基づいて識別する。そして、Ｓ１１１で、ＣＰＵ２０５は、受信した印刷ジョブに、識別した認証情報を割り当てて記憶する。なお、ＣＰＵ２０５は、ユーザごとの認証情報ではなく、出力先ごとに予め決められた認証情報を割り当てるようにしてもよい。
また、Ｓ１１１で、既に認証後印刷ジョブとして登録されたページがある場合、ＣＰＵ２０５は、該認証後印刷ジョブの末尾に処理対象ページを追加する。なお、Ｓ１１１の終了後、ＣＰＵ２０５は、Ｓ１１２に処理を進める。
【００５３】
次に、Ｓ１１２では、ＣＰＵ２０５が、印刷ジョブに次のページがあるか否かを判定する。ここで、印刷ジョブに次のページがあるとＣＰＵ２０５が判定した場合（ＹＥＳ）、Ｓ１１３に進み、印刷ジョブに次のページがないとＣＰＵ２０５が判定した場合（ＮＯ）、Ｓ１１４に進む。
次に、Ｓ１１３では、ＣＰＵ２０５が、処理対象ページを次のページに設定した後、Ｓ１０３に進み、次ページ以降の処理を続行する。
【００５４】
一方、Ｓ１１４では、ＣＰＵ２０５が、認証後印刷ジョブが登録されたか否かを判定する。この判定は、印刷ジョブ中で、Ｓ１１１で認証後印刷ジョブとして登録されたページがある場合に、認証後印刷ジョブが登録されたと判定する。ここで、認証後印刷ジョブが登録されたとＣＰＵ２０５が判定した場合（ＹＥＳ）、Ｓ１１５に進み、認証後印刷ジョブが登録されていないとＣＰＵ２０５が判定した場合（ＮＯ）、印刷ジョブ処理を終了する。
そして、Ｓ１１５では、ＣＰＵ２０５が、認証後印刷ジョブが登録されたことをユーザに通知して、本処理を終了する。なお、通知方法としては、例えば、ＣＰＵ２０５が、操作部２１０に通知画面を表示することにより行う。
【００５５】
図１０は、図３に示した操作部２１０に表示されるユーザインタフェースの一例を示す図である。本例は、認証後印刷ジョブが登録されたことをユーザに通知するための通知画面の一例である。
この例では、印刷ジョブの一部が認証後印刷ジョブとして登録されたことを通知するメッセージ１１０１と、通知画面を終了するためのＯＫボタン１１０２が操作部２１０に表示される。
別の方法としては、例えば、ＣＰＵ２０５が、プリンタエンジン２０２を用いて、指定出力先に通知レポートを出力することによって行う。
【００５６】
図１１は、図３に示したプリンタエンジン２０２から出力される通知レポートの一例を示す図である。この例では、印刷ジョブの一部が認証後印刷ジョブとして登録されたことを通知するメッセージがレポートとして出力される場合を示す。以上の処理が終わると、印刷ジョブ処理を終了する。
＜印刷装置１０の認証後印刷処理＞
次に、本実施例における印刷装置１０の認証後印刷処理について説明する。
【００５７】
図１２は、本実施形態を示す印刷装置の制御方法を説明するフローチャートである。本例は、図１に示した印刷装置１０の認証後印刷処理例である。なお、各ステップは、ＣＰＵ２０５がＲＯＭ２０７、ＨＤＤ２０８から制御プログラムをＲＡＭ２０６にロードして実行することで実現される。
Ｓ２０１では、ＣＰＵ２０５が、操作部２１０に、Ｓ１１１で記憶手段（ＨＤＤ２０８）に登録された認証後印刷ジョブ一覧画面を表示する。
【００５８】
図１３は、図３に示した操作部２１０に表示されるユーザインタフェースの一例を示す図である。本例は、認証後印刷ジョブ一覧画面の一例を示す。
図１３においては、認証後印刷ジョブの一覧１３０１、登録時刻１３０２、ジョブ名１３０３、ユーザ名１３０４、ステータス１３０５、印刷時間１３０６、中止ボタン１３０７、印刷ボタン１３０８が操作部２１０に表示される例を示す。
【００５９】
次に、Ｓ２０２では、ＣＰＵ２０５が、操作部２１０を介して、ユーザの認証後印刷ジョブの印刷指示が行われたか否かを判定する。この判定は、ユーザが、一覧１３０１から認証後印刷ジョブを選択し、印刷ボタン１３０８を押下した場合に、認証後印刷ジョブの印刷指示が行われたと判定する。ここで、認証後印刷ジョブの印刷指示が行われたとＣＰＵ２０５が判定した場合（ＹＥＳ）、Ｓ２０３に進み、認証後印刷ジョブの印刷指示が行われていないとＣＰＵ２０５が判定した場合（ＮＯ）、Ｓ２０１に進み、ユーザの認証後印刷ジョブの指示を待機する。
そして、Ｓ２０３では、ＣＰＵ２０５が、操作部２１０に、ユーザ認証画面を表示する。
【００６０】
図１４は、図３に示した操作部２１０に表示されるユーザインタフェースの一例を示す図である。本例は、ユーザ認証画面の一例を示す。
図１４においては、メッセージ１４０１、パスワード入力ボックス１４０２、中止ボタン１４０３、ＯＫボタン１４０４が操作部２１０に表示される例を示す。
【００６１】
そして、Ｓ２０４では、ＣＰＵ２０５が、操作部２１０を介して、ユーザの認証が行われたか否かを判定する。この判定は、ユーザが、パスワード入力ボックス１４０２に正しいパスワードを入力し、ＯＫボタン１４０４を押下した場合に、ユーザの認証が行われたと判定する。ここで、ユーザの認証が行われたとＣＰＵ２０５が判定した場合（ＹＥＳ）、Ｓ２０５に進み、ユーザの認証が行われていないとＣＰＵ２０５が判定した場合（ＮＯ）、Ｓ２０３に進み、ユーザの認証を待機する。
そして、Ｓ２０５では、ＣＰＵ２０５が、プリンタエンジン２０２を用いて、認証後印刷ジョブを実行し、当該認証後印刷ジョブの画像に基づいて画像をシートに印刷し、当該シートを、指定された出力先に出力して、本処理を終了する。以上の処理が終わると、認証後印刷処理を終了する。
【００６２】
＜印刷装置１０が処理対象とする印刷ジョブの出力結果の一例＞
図１５は、図１に示した印刷装置１０が処理対象とする印刷ジョブの出力結果の一例を示す図である。本例は、例示した印刷ジョブの実際の動作と出力結果の一例である。
図１５では、ページ範囲１００１のページが実際に出力された出力先１００２と、該ページが認証後出力ジョブとして登録されたか否かを示す認証後出力１００３と、から構成されている例を示す。
【００６３】
図１５において、１ページ目から５ページ目のサブセットは、図１６において、スタッカ１へ後加工なしで出力するよう指定されたページである。図５に示した機器能力情報テーブルを参照すると、スタッカ１には、後加工なしのシートを出力することが可能（Ｓ１０５でＹＥＳ）である。
よって、図９に示したＳ１０６において、出力先１００２は、指定出力先６０２（スタッカ１）に設定される。また、出力先１００２と指定出力先６０２が同一であり、セキュリティの低下は発生しないことから、Ｓ１１０において、即座に印刷が開始される（認証後出力１００３はＮＯ）。
【００６４】
また、６ページ目から１０ページ目のサブセットは、図７において、スタッカ１へステープルして出力するよう指定されたページである。図５に示した機器能力情報テーブルを参照すると、スタッカ１には、ステープルしたシートを出力することは不可能（Ｓ１０５でＮＯ）とＣＰＵ２０５は判定する。
【００６５】
よって、Ｓ１０７において、ＣＰＵ２０５は、図１５に示す出力先１００２を、代替出力先（フィニッシャ上トレイ）に設定する。ここで、スタッカ１には電子錠ＫＥＹ１が備えられているが、フィニッシャ上トレイは、認証情報を知らない第三者が利用可能な出力先である。そのため、指定出力先６０２のセキュリティ５０３はＨｉｇｈ（Ｓ１０８でＹＥＳ）であるが、出力先１００２のセキュリティ５０３はＬｏｗ（Ｓ１０９でＮＯ）であり、出力先の変更によりセキュリティの低下が発生する。
【００６６】
そのため、該ページの印刷は即座に開始されず、Ｓ１１１において、ＣＰＵ２０５は、該ページを認証後印刷ジョブとして登録する（認証後出力１００３はＹＥＳ）。
また、１１ページ目から３５ページ目のサブセットは、図１５において、スタッカ１へ多穴パンチして出力するよう指定されたページである。該ページには、図５に示した機器能力情報テーブルを参照すると、スタッカ１には、多穴パンチしたシートを出力することが可能（Ｓ１０５でＹＥＳ）である。
【００６７】
よって、Ｓ１０６において、ＣＰＵ２０５は、出力先１００２を指定出力先６０２（スタッカ１）に設定する。
また、出力先１００２と指定出力先６０２が同一であり、セキュリティの低下は発生しないことから、Ｓ１１０において、即座に印刷が開始される（認証後出力１００３はＮＯ）。
さらに、３６ページ目から３８ページ目のサブセットは、図１５において、フィニッシャ上トレイへ２つ折りして出力するよう指定されたページである。図５に示した機器能力情報テーブルを参照すると、フィニッシャ上トレイには、２つ折りしたシートを出力することは不可能（Ｓ１０５でＮＯ）である。
よって、Ｓ１０７において、ＣＰＵ２０５は、出力先１００２を代替出力先（折り機）に設定する。
ここで、フィニッシャ上トレイ、折り機ともに、第三者が利用可能な出力先である。そのため、指定出力先６０２と出力先１００２のセキュリティ５０３はともにＬｏｗ（Ｓ１０８でＮＯ）であり、出力先の変更によりセキュリティの低下が発生しないことから、Ｓ１１０において、即座に印刷が開始される（認証後出力１００３はＮＯ）。
【００６８】
上記実施形態によれば、機密性が確保された出力先への出力が指定されたシートが、シートに施される後加工の制限によって、第三者が利用可能な出力先への出力に変更される場合に、該シートの印刷を中止して認証後印刷に切り替えることができる。
これにより、機密性の高い出力物が見られたり持ち去られたりすることを防止し、セキュリティを向上することができる。
【００６９】
また、セキュリティの低下が発生しないシートの出力は、ユーザの認証を待つことなく、即座に印刷を開始することができる。具体的には、出力先の変更が発生しないシート、第三者が利用可能な出力先への出力が指定されたシート、機密性が確保された出力先に出力されるシートは、ユーザの認証を待つことなく、即座に印刷を開始することができる。これにより、印刷ジョブ中のサブセットもしくはページに対して異なる印刷設定が可能である場合に、ユーザの待ち時間を短縮しつつ、セキュリティを高めることが可能となる。
【００７０】
〔第２実施形態〕
以下、本発明を実施するための第２実施形態について説明する。本実施形態に示す印刷システムには、システム内に複数の印刷装置１０が存在する。ここで、少なくとも１つの印刷装置１０は機密性が確保された環境であり、少なくとも１つの印刷装置１０は第三者が利用可能である環境において、本発明を適用した例を説明する。なお、第１実施形態と同様のものについては説明を省略する。
＜印刷システムの構成＞
本実施形態における印刷装置の構成は、第１実施形態において図１、図２を用いて説明したものと同様である。さらに、本実施形態においては、複数の印刷装置１０がネットワーク５０に接続されており、相互の印刷装置間で印刷ジョブを転送することが可能である。
【００７１】
＜機器能力情報テーブルの構成＞
図１６は、本実施形態を示す印刷装置が管理する機器能力情報テーブルの一例を示す図である。なお、本実施形態では、図１に示した２つの印刷装置１０のうち、いずれか一方の印刷装置１０をＲｏｏｍ＃１（図示しない）に配置し、ユーザの出入り制限される第１の印刷装置と特定される。また、図１に示した２つの印刷装置１０のうち、いずれか一方の印刷装置１０をＲｏｏｍ＃２（図示しない）に配置し、ユーザの出入りが制限されない第２の印刷装置と特定される。以下、本例では、出力先名称１５０１と、設置場所１５０２と、機器能力情報１５０３と、セキュリティ１５０４とを対応づけたテーブルとして機器能力情報を管理している例である。
【００７２】
図１６において、出力先名称１５０１は、印刷システム内の出力先の名称である。本実施形態においては、印刷システム内に複数の印刷装置１０が存在し、それぞれＰｒｉｎｔｅｒ＃１、Ｐｒｉｎｔｅｒ＃２という出力先名称が付けられている。
【００７３】
設置場所１５０２は、各出力先名称１５０１の設定場所を示している。本実施例においては、Ｐｒｉｎｔｅｒ＃１はＲｏｏｍ＃１に設置されており、Ｐｒｉｎｔｅｒ＃２はＲｏｏｍ＃２に設置されている。なお、Ｒｏｏｍ＃１は施錠可能な部屋であり、機密性が確保されているが、Ｒｏｏｍ＃２は施錠されておらず、第三者が利用可能であるとする。
【００７４】
機器能力情報１５０３は、各出力先において実施可能な後加工を○もしくは×で示している。機器能力情報１５０３は、後加工なし１５１１、ステープル１５１２、２穴パンチ１５１３、多穴パンチ１５１４、Ｚ折り１５１５、２つ折り１５１６、中綴じ製本１５１７、くるみ製本１５１８、からなる。
【００７５】
セキュリティ１５０４は、各出力先のセキュリティの強度をＨｉｇｈもしくはＬｏｗで示す。本実施例においては、Ｐｒｉｎｔｅｒ＃１は施錠可能なＲｏｏｍ＃１に設置されており、印刷ジョブを実行したユーザ以外の第三者は出力物を見たり取り出したりすることができないため、Ｐｒｉｎｔｅｒ＃１のセキュリティはＨｉｇｈである。一方、Ｐｒｉｎｔｅｒ＃２は施錠されていないＲｏｏｍ＃２に設置されており、印刷ジョブを実行したユーザ以外の第三者が出力物を見たり取り出したりする可能性があるため、セキュリティはＬｏｗである。
【００７６】
＜印刷システムが処理対象とする印刷ジョブの印刷設定の一例＞
図１７は、本実施形態を示す印刷システムが処理対象とする印刷ジョブの印刷設定の一例を示す図である。
図１７において、印刷ジョブはページ範囲１６０１からなるサブセットのそれぞれに、指定出力先１６０２、指定後加工１６０３を設定することが可能である。指定後加工１６０３は、ステープル１６１１、２穴パンチ１６１２、多穴パンチ１６１３、Ｚ折り１６１４、２つ折り１６１５、中綴じ製本１６１６、くるみ製本１６０７の指定からなる。
【００７７】
この印刷ジョブは、３８ページの印刷ジョブであり、全てのサブセットはＰｒｉｎｔｅｒ＃１に出力するよう設定されている。さらに、６ページ目から１０ページ目のサブセットは、ステープルして出力するよう設定されている。１１ページ目から３５ページ目のサブセットは、多穴パンチして出力するよう設定されている。３６ページ目から３８ページ目のサブセットは、くるみ製本して出力するよう設定されている。
【００７８】
＜印刷システムの印刷ジョブ処理、認証後印刷処理＞
本実施形態における印刷ジョブ処理、認証後印刷処理は、第１実施形態において図７を用いて説明したものと同様である。ただし、第１実施形態と異なる点として、Ｓ１１５で、ＣＰＵ２０５が操作部２１０に表示する通知画面の一例を図１８に示す。
【００７９】
図１８は、図３に示した操作部２１０に表示されるユーザインタフェースの一例を示す図である。本例は、認証後印刷ジョブが登録されたことをユーザに通知するための通知画面の一例である。
本例では、印刷ジョブの一部がＰｒｉｎｔｅｒ＃２の認証後印刷ジョブとして登録されたことを通知するメッセージ１７０１と、通知画面を終了するためのＯＫボタン１７０２が操作部２１０に表示される。また、第１実施形態と異なる点として、Ｓ１１５で、ＣＰＵ２０５が、プリンタエンジン２０２を用いて出力する通知レポートの一例を図１９に示す。
【００８０】
図１９は、図３に示したプリンタエンジン２０２から出力される通知レポートの一例を示す図である。この例では、印刷ジョブの一部がＰｒｉｎｔｅｒ＃２の認証後印刷ジョブとして登録されたことを通知するメッセージがレポートとして出力される。
【００８１】
＜印刷装置１０が処理対象とする印刷ジョブの出力結果の一例＞
図２０は、図１に示した印刷装置１０が処理対象とする印刷ジョブの出力結果の一例を示す図である。本例は、例示した印刷ジョブの実際の動作と出力結果の一例である。
図２０では、ページ範囲１９０１のページが実際に出力された出力先１９０２と、該ページが認証後出力ジョブとして登録されたか否かを示す認証後出力１９０３と、から構成されている。
１ページ目から５ページ目のサブセットは、図１７において、Ｐｒｉｎｔｅｒ＃１へ後加工なしで出力するよう指定されたページである。図１６に示す機器能力情報テーブルを参照すると、Ｐｒｉｎｔｅｒ＃１には、後加工なしのシートを出力することが可能（Ｓ１０５でＹＥＳ）である。
【００８２】
よって、Ｓ１０６において、ＣＰＵ２０５は、出力先１００２を指定出力先６０２（Ｐｒｉｎｔｅｒ＃１）に設定する。また、出力先１００２と指定出力先６０２が同一であり、セキュリティの低下は発生しないことから、Ｓ１１０において、即座に印刷が開始される（認証後出力１００３はＮＯ）。
一方、６ページ目から１０ページ目のサブセットは、図１７において、Ｐｒｉｎｔｅｒ＃１へステープルして出力するよう指定されたページである。図１６に示す機器能力情報テーブルを参照すると、Ｐｒｉｎｔｅｒ＃１には、ステープルしたシートを出力することが可能（Ｓ１０５でＹＥＳ）である。
【００８３】
よって、Ｓ１０６において、ＣＰＵ２０５は、出力先１００２を指定出力先６０２（Ｐｒｉｎｔｅｒ＃１）に設定する。また、出力先１００２と指定出力先６０２が同一であり、セキュリティの低下は発生しないことから、Ｓ１１０において、即座に印刷が開始される（認証後出力１００３はＮＯ）。
また、１１ページ目から３５ページ目のサブセットは、図１７において、Ｐｒｉｎｔｅｒ＃１へ多穴パンチして出力するよう指定されたページである。該ページには、図１６に示す機器能力情報テーブルを参照すると、Ｐｒｉｎｔｅｒ＃１には、多穴パンチしたシートを出力することが可能（Ｓ１０５でＹＥＳ）である。
【００８４】
よって、Ｓ１０６において、ＣＰＵ２０５は、出力先１００２を指定出力先６０２（Ｐｒｉｎｔｅｒ＃１）に設定する。また、出力先１００２と指定出力先６０２が同一であり、セキュリティの低下は発生しないことから、Ｓ１１０において、即座に印刷が開始される（認証後出力１００３はＮＯ）。
【００８５】
さらに、３６ページ目から３８ページ目のサブセットは、図１７において、Ｐｒｉｎｔｅｒ＃１へくるみ製本して出力するよう指定されたページである。図１６に示す機器能力情報テーブルを参照すると、Ｐｒｉｎｔｅｒ＃１には、くるみ製本したシートを出力することは不可能（Ｓ１０５でＮＯ）である。
よって、Ｓ１０７において、ＣＰＵ２０５は、出力先１００２を代替出力先（Ｐｒｉｎｔｅｒ＃２）に設定し、該ページはＰｒｉｎｔｅｒ＃１からＰｒｉｎｔｅｒ＃２に転送する。
【００８６】
ここで、Ｐｒｉｎｔｅｒ＃１は施錠可能なＲｏｏｍ＃１に設置されているが、Ｐｒｉｎｔｅｒ＃２は施錠されていないＲｏｏｍ＃２に設置されている。そのため、指定出力先６０２のセキュリティ５０３はＨｉｇｈ（Ｓ１０８でＹＥＳ）であるが、出力先１００２のセキュリティ５０３はＬｏｗ（Ｓ１０９でＮＯ）であり、出力先の変更によりセキュリティの低下が発生する。
そのため、該ページの印刷は即座に開始されず、Ｓ１１１において、認証後印刷ジョブとして登録される（認証後出力１００３はＹＥＳ）。
【００８７】
本実施形態によれば、機密性が確保された出力先への出力が指定されたシートが、シートに施される後加工の制限によって、第三者が利用可能な出力先への出力に変更される場合に、該シートの印刷を中止して認証後印刷に切り替えることができる。なお、機密性が確保された出力先はＰｒｉｎｔｅｒ＃１のことであり、第三者が利用可能な出力先はＰｒｉｎｔｅｒ＃２のことである。
これにより、機密性の高い出力物に見られたり持ち去られたりすることを防止し、セキュリティを向上することができる。
【００８８】
また、セキュリティの低下が発生しないシートの出力は、ユーザの認証を待つことなく、即座に印刷を開始することができる。
具体的には、出力先の変更が発生しないシート、第三者が利用可能な出力先への出力が指定されたシート、機密性が確保された出力先に出力されるシートは、ユーザの認証を待つことなく、即座に印刷を開始することができる。なお、第三者が利用可能な出力先はＰｒｉｎｔｅｒ＃２のことであり、機密性が確保された出力先はＰｒｉｎｔｅｒ＃１のことである。
これにより、印刷ジョブ中のサブセットもしくはページに対して異なる印刷設定が可能である場合に、ユーザの待ち時間を短縮しつつ、セキュリティを高めることが可能となる。
（その他の実施形態）
【００８９】
上述した実施形態では、複数のサブセットを含む印刷ジョブを印刷装置１０が実行する場合について説明したが、サブセットという単位を持たない印刷ジョブを印刷装置１０が実行する場合について上記の実施形態の制御を実行してもよい。サブセットという単位を持たない印刷ジョブとは、図６に示すジョブ２００１と、単数または複数のページ２００３で構成される印刷ジョブである。このような印刷ジョブを、図９や、図１２に示す方法で実行してもよい。それによって、サブセットという単位を持たない印刷ジョブに対しても本発明の処理を適用することができる。例えば、ユーザによって、印刷ジョブに含まれる複数のページの排紙先としてスタッカ１が指定され、複数のページに基づいて画像が印刷されたシートに対してステープルを実行するよう指定されたとする。印刷装置１０は、このような印刷ジョブを受信して実行する場合に、印刷装置１０の構成上、ステイプルしたものをスタッカ１に排紙できないので、当該印刷ジョブを認証後印刷ジョブとしてＨＤＤ２０８に登録する。そして、その後、印刷装置１０は、当該認証後印刷ジョブを、図１２に示す手順で印刷する。
なお、上述した実施形態では、第１の排紙部として、シートを取り出すために認証情報に基づくユーザの認証を必要とする排紙部を例に説明した。しかしながら、本発明はこれに限られるものではなく、第１の排紙部が、物理的な鍵を使って施錠可能な排紙部であってもよい。このとき、認証情報を用いる例と同様に、第１の排紙部が、シートの取り出しを制限可能な排紙部となり、第２の排紙部がシートの取り出しを制限できない排紙部となる。その場合、印刷装置１０が、各排紙部について、物理的な鍵を使って施錠可能な排紙部か否かを示す情報をＨＤＤ２０８に記憶しておき、それに従って、印刷装置１０は、上記の実施例に示す制御を行えばよい。
以上、各実施形態について示した構成を、例えばシステム、装置、方法、プログラム、もしくは記憶媒体等の実施態様をとることも可能である。具体的には、例えば複数の機器から構成されるシステムに適用しても良いし、また、一つの機器からなる装置に適用しても良い。
【００９０】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００９１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００９２】
１０  印刷装置
１１０  インラインフィニッシャ
１１４  フィニッシャ
【図１】
2013154476.tif 000003
【図２】
2013154476.tif 000004
【図３】
2013154476.tif 000005
【図４】
2013154476.tif 000006
【図５】
2013154476.tif 000007
【図６】
2013154476.tif 000008
【図７】
2013154476.tif 000009
【図８】
2013154476.tif 000010
【図９】
2013154476.tif 000011
【図１０】
2013154476.tif 000012
【図１１】
2013154476.tif 000013
【図１２】
2013154476.tif 000014
【図１３】
2013154476.tif 000015
【図１４】
2013154476.tif 000016
【図１５】
2013154476.tif 000017
【図１６】
2013154476.tif 000018
【図１７】
2013154476.tif 000019
【図１８】
2013154476.tif 000020
【図１９】
2013154476.tif 000021
【図２０】
2013154476.tif 000022